(57)【要約】【課題】低背化を図ることができる電気コネクタを提供すること。【解決手段】実施形態に係る電気コネクタは、絶縁性のハウジングと、導電性のシグナルコンタクトと、導電性のグランドコンタクトとを備える。シグナルコンタクトは、一端部が同軸ケーブルの中心導体の先端とこの中心導体の延伸方向で対向する状態でハウジングに支持される基部と、基部の一端部から片持ち状に延伸する板状部材で形成され、当該板状部材の延伸方向と直交または交差する側面が中心導体に側方から当接して中心導体と電気的に接続される一対の第１接続部とを備える。【選択図】図８
2017220358.tif 000002
【特許請求の範囲】
【請求項１】
絶縁性のハウジングと、
前記ハウジングに収納され、同軸ケーブルの中心導体と電気的に接続された状態で相手コネクタの相手シグナルコンタクト部に接続される導電性のシグナルコンタクトと、
前記ハウジングを覆い、前記同軸ケーブルの外側導体と電気的に接続された状態で前記相手コネクタの相手グランドコンタクト部に接続される導電性のグランドコンタクトと、を備え、
前記シグナルコンタクトは、
一端部が前記中心導体の先端と当該中心導体の延伸方向で対向する状態で前記ハウジングに支持される基部と、
前記基部の前記一端部から片持ち状に延伸する板状部材で形成され、当該板状部材の延伸方向と直交または交差する側面が前記中心導体に側方から当接して前記中心導体と電気的に接続される一対の第１接続部と、
前記基部に基端が支持され、前記相手シグナルコンタクト部と電気的に接続される第２接続部と、を備え、
前記ハウジングは、
前記一対の第１接続部の前記中心導体と当接する側の反対側に当接する一対の側方絶縁部を備える
ことを特徴とする電気コネクタ。
【請求項２】
前記グランドコンタクトは、
前記相手グランドコンタクト部に嵌合接続され、開口を有する筒状の本体部と、
前記本体部から屈曲して延伸し、前記本体部の前記開口を覆う蓋部と、
前記本体部から延伸して前記一対の側方絶縁部に側方から当接する一対の当接部と、
前記蓋部における前記延伸方向と直交する幅方向側から延伸し前記一対の当接部を外方から挟持する挟持部と、を備える
ことを特徴とする請求項１に記載の電気コネクタ。
【請求項３】
前記シグナルコンタクトは、
前記基部の前記一端部から片持ち状に延伸し、前記中心導体の前記側方側とは異なる位置に当接して前記中心導体と電気的に接続される第３接続部を備え、
前記ハウジングは、
前記蓋部と前記第３接続部との間に配置され、前記蓋部によって前記第３接続部側に押圧される絶縁部を備える
ことを特徴とする請求項２に記載の電気コネクタ。
【請求項４】
前記シグナルコンタクトの前記一対の第１接続部は、前記シグナルコンタクトの板厚方向に湾曲して形成されている
ことを特徴とする請求項１に記載の電気コネクタ。
【発明の詳細な説明】
【技術分野】
【０００１】
開示の実施形態は、電気コネクタに関する。
【背景技術】
【０００２】
従来、携帯電話機等の電気機器において同軸ケーブルを例えば印刷配線基板などに接続するための電気コネクタが用いられている。かかる電気コネクタとして、同軸ケーブルの中心導体に接続されたシグナルコンタクトと、筒状の導体部を有するグランドコンタクトとを備えるプラグコネクタが知られている。そして、かかる電気コネクタの筒状の導体部を相手コネクタであるリセプタクルコネクタの相手グランドコンタクト部に嵌合することで、同軸ケーブルと印刷配線基板等との接続が行われる（例えば、特許文献１参照）。
【先行技術文献】
【特許文献】
【０００３】
【特許文献１】特開２０１３−１５７１１３号公報
【発明の概要】
【発明が解決しようとする課題】
【０００４】
特許文献１に記載の電気コネクタは、シグナルコンタクトと同軸ケーブルの中心導体との接続に半田付け作業を必要としない。しかしながら、シグナルコンタクトと同軸ケーブルの中心導体との接続のために電気コネクタの他の部材が何層にも積層されるため、電気コネクタの高さが高くなり、低背化の点で課題がある。
【０００５】
実施形態の一態様は、上記に鑑みてなされたものであって、低背化を図ることができる電気コネクタを提供することを目的とする。
【課題を解決するための手段】
【０００６】
実施形態に係る電気コネクタは、絶縁性のハウジングと、導電性のシグナルコンタクトと、導電性のグランドコンタクトとを備える。前記シグナルコンタクトは、前記ハウジングに収納され、同軸ケーブルの中心導体と電気的に接続された状態で相手コネクタの相手シグナルコンタクト部に接続される。前記グランドコンタクトは、前記ハウジングを覆い、前記同軸ケーブルの外側導体と電気的に接続された状態で前記相手コネクタの相手グランドコンタクト部に接続される。前記シグナルコンタクトは、基部と、一対の第１接続部と、第２接続部とを備える。前記基部は、一端部が前記中心導体の先端と当該中心導体の延伸方向で対向する状態で前記ハウジングに支持される。前記一対の第１接続部は、前記基部の前記一端部から片持ち状に延伸する板状部材で形成され、当該板状部材の延伸方向と直交または交差する側面が前記中心導体に側方から当接して前記中心導体と電気的に接続される。前記第２接続部は、前記基部に基端が支持され、前記相手シグナルコンタクト部と電気的に接続される。前記ハウジングは、一対の側方絶縁部を備える。前記一対の側方絶縁部は、前記一対の第１接続部の前記中心導体と当接する側の反対側に当接する。
【発明の効果】
【０００７】
実施形態の一態様によれば、低背化を図ることができる電気コネクタを提供することができる。
【図面の簡単な説明】
【０００８】
【図１】図１は、実施形態に係る電気コネクタと相手コネクタを示す図である。
【図２】図２は、実施形態に係る電気コネクタが相手コネクタと嵌合している状態を示す図である。
【図３】図３は、実施形態に係る電気コネクタの組み立て前の分解斜視図である。
【図４】図４は、図３に示すハウジングの平面図を示す図である。
【図５】図５は、図４に示すＡ−Ａ線矢視断面図である。
【図６】図６は、図３に示すシグナルコンタクト部材の構成例を示す図である。
【図７】図７は、組み立て時におけるハウジング部材へのシグナルコンタクト部材の配置関係を示す図である。
【図８】図８は、組み立て時におけるハウジング部材、シグナルコンタクト部材および同軸ケーブルの配置関係を示す図である。
【図９】図９は、組み立て時におけるハウジング部材、シグナルコンタクト部材および同軸ケーブルの配置関係を示す図である。
【図１０】図１０は、組み立て後におけるシグナルコンタクト部材と同軸ケーブルの中心導体との間の接続状態を示す図である。
【図１１】図１１は、シグナルコンタクト部材、ハウジング部材および同軸ケーブルの組み立て後の状態を示す平面図である。
【図１２】図１２は、図１１に示すＢ−Ｂ線矢視断面図である。
【図１３】図１３は、図１１に示すＣ−Ｃ線矢視断面図である。
【図１４】図１４は、実施形態に係る電気コネクタの組み立て後の外観斜視図である。
【図１５】図１５は、実施形態に係る電気コネクタの組み立て後の内部状態を示す図である。
【図１６】図１６は、シグナルコンタクト部材の他の第１構成例を示す図である。
【図１７】図１７は、図１６に示すシグナルコンタクト部材と同軸ケーブルとの接続関係を示す図である。
【図１８】図１８は、シグナルコンタクト部材の他の第２構成例を示す図である。
【図１９】図１９は、シグナルコンタクト部材の他の第３〜第５構成例を示す図である。
【発明を実施するための形態】
【０００９】
以下、本願に係る電気コネクタの実施形態を詳細に説明する。なお、以下に示す実施形態によりこの発明が限定されるものではない。
【００１０】
＜１．電気コネクタの構成＞
図１および図２に示すように、実施形態に係る電気コネクタ１は、同軸ケーブル３に接続された電気コネクタであり、例えば、図示を省略した印刷配線基板上に実装された相手コネクタ２に対して嵌合可能に構成される。かかる電気コネクタ１は、プラグコネクタとも呼ばれ、相手コネクタ２は、レセプタクルコネクタとも呼ばれる。
【００１１】
図３に示すように、電気コネクタ１は、絶縁性のハウジング部材１１（ハウジングの一例）と、導電性のシグナルコンタクト部材１２（シグナルコンタクトの一例）と、導電性のグランドコンタクト部材１３（グランドコンタクトの一例）とを備える。ハウジング部材１１は、シグナルコンタクト部材１２とグランドコンタクト部材１３とを絶縁状態に保つための部材である。
【００１２】
シグナルコンタクト部材１２は、ハウジング部材１１に収納され、同軸ケーブル３の中心導体３ａと電気的に接続された状態で相手コネクタ２（図１、２参照）のシグナルコンタクト部２２（相手シグナルコンタクト部の一例）に接続される。
【００１３】
グランドコンタクト部材１３は、ハウジング部材１１を覆い、同軸ケーブル３の外側導体３ｃと電気的に接続された状態で相手コネクタ２のグランドコンタクト部２１（相手グランドコンタクト部の一例）に接続される。
【００１４】
以下、実施形態に係る電気コネクタ１等の構成について具体的に説明する。なお、説明の便宜上、相手コネクタ２に対して電気コネクタ１を差し込む方向（Ｚ軸負方向）を「下方向」とし、その逆方向（Ｚ軸正方向）を「上方向」とする。また、同軸ケーブル３の延伸方向のうち電気コネクタ１の内部に配置される先端へ向かう方向（Ｘ軸正方向）を「前方向」とし、その逆方向（Ｘ軸負方向）を「後方向」とし、「上下方向」と「前後方向」の双方に直交する方向（Ｙ軸正負方向）を「左右方向」とする。
【００１５】
＜２．同軸ケーブル３＞
同軸ケーブル３は、例えば、携帯電話機等の電子機器に用いられる細線の同軸ケーブルである。かかる同軸ケーブル３は、図３に示すように、中心導体（信号線）３ａの外周側に、誘電体３ｂ、外側導体（シールド線）３ｃおよび外周被覆材３ｄが順に同軸状に積層されて形成される。
【００１６】
そして、同軸ケーブル３の一端部は、先端側から中心導体３ａ、誘電体３ｂ、外側導体３ｃが順次露出した状態で電気コネクタ１の内部に配置される。
【００１７】
＜３．ハウジング部材１１＞
ハウジング部材１１は、図３〜５に示すように、絶縁本体部３１と、一対の側方絶縁部３２、３２と、支持部３３と、絶縁蓋部３４とを備え、シグナルコンタクト部材１２とグランドコンタクト部材１３とを絶縁する。絶縁本体部３１は、筒状部４１と、側壁部４２と、複数のコンタクト支持部４３と、複数の係合凸部４４と、複数の係合凹部領域４５とを備える。
【００１８】
筒状部４１は、外周面が円錐筒面状に形成され、絶縁本体部３１の内部空間４６に通じる透孔４７が内部に形成される。側壁部４２は、内部空間４６の左右両側面を囲うように形成される。複数の係合凸部４４は、側壁部４２の前方左右上部側からそれぞれ外方へ向けて凸状に形成され、複数の係合凹部領域４５は、側壁部４２の左右上部からそれぞれ絶縁本体部３１の内部に向けて凹状に形成される。
【００１９】
一対の側方絶縁部３２、３２は、絶縁本体部３１の後端部から後方へ延伸し、左右方向で互いに対向する。かかる一対の側方絶縁部３２、３２は、後方に向けて互いの間隔が漸次広がるように形成される。支持部３３は、一対の側方絶縁部３２、３２の下方に位置しており、絶縁本体部３１の後端部から後方へ延伸し、前後方向の中央部が下方に湾曲して形成される。
【００２０】
絶縁蓋部３４は、全体として平板状に形成されており、絶縁本体部３１の前端部から屈曲領域を介して延伸する。絶縁蓋部３４は、第１絶縁部４８と、第２絶縁部４９とを備える。かかる絶縁蓋部３４が絶縁本体部３１に向かって折り曲げられたとき、第１絶縁部４８が内部空間４６に対向し、第２絶縁部４９が支持部３３に対向する。第２絶縁部４９には、延伸方向に沿って凹条部５０が形成される。
【００２１】
＜４．シグナルコンタクト部材１２＞
シグナルコンタクト部材１２は、例えば、ハウジング部材１１の内部に載置、圧入またはインサート成形等により取り付けられる。
【００２２】
シグナルコンタクト部材１２は、図３および図６に示すように、ハウジング部材１１に支持される基部６０と、同軸ケーブル３の中心導体３ａに当接される一対の第１接続部６１、６１および第３接続部６３と、相手コネクタ２のシグナルコンタクト部２２に当接される第２接続部６２とを備える。シグナルコンタクト部材１２は、例えば、金属板材に打抜き折曲げ加工を施すことによって一体的に形成される。
【００２３】
基部６０は、板状に形成され、図７に示すように、ハウジング部材１１の内部空間４６内に配置される。基部６０の前端部６４は、ハウジング部材１１のコンタクト支持部４３によって支持される。
【００２４】
一対の第１接続部６１、６１は、基部６０の後端部６５（一端部の一例）から片持ち状に後方に延伸する細長の板状部材でそれぞれ形成され、かかる板状部材の延伸方向（前後方向）に直交する側面９０、９０が左右方向で互いに対向する。このように、一対の第１接続部６１、６１は、基部６０の後端部６５から片持ち状に互いに左右方向で対向して後方に延伸し、左右方向で互いに向かい合う側面９０、９０をそれぞれ有する。各第１接続部６１は、延伸方向（前後方向）と直交する板厚方向（上下方向）に湾曲して形成され、基端部６７および先端部６９に対して中央部６８が下方に位置する。なお、「延伸方向（前後方向）に直交する」とは、延伸方向（前後方向）に略直交であればよく、また、例えば、側面９０の中心導体３ａに当接する部分のみが実質的に直交するものであってもよい。
【００２５】
ハウジング部材１１の支持部３３の上面は、上述したように、第１接続部６１、６１に対して、前後方向の中央部が下方に湾曲して形成されており、各第１接続部６１、６１は、支持部３３上に配置され支持部３３によって支持される。なお、支持部３３の左右方向の中央部分を前後方向にかけて平坦にしてもよい。これにより、支持部３３と第３接続部６３との間で中心導体３ａを上下方向でより挟持して第３接続部６３と中心導体３ａとの電気的接続性を向上させることができる。
【００２６】
また、一対の第１接続部６１、６１間の距離は、中心導体３ａの幅（左右方向の長さ）以上になるように形成され、また、一対の第１接続部６１、６１間の距離は前後方向で同じである。これにより、一対の第１接続部６１、６１間に中心導体３ａが収まるように配置することができる。
【００２７】
上述したように、ハウジング部材１１における一対の側方絶縁部３２、３２は、後方に向けて互いの間隔が漸次広がるように形成されているため、一対の第１接続部６１、６１を有するシグナルコンタクト部材１２をハウジング部材１１へ容易に収納できる。なお、一対の第１接続部６１、６１間の距離は、後方に向けて漸次広がるように形成してもよい。
【００２８】
第２接続部６２は、基部６０に支持され、基部６０の左右両側方から相互に対向して下方に伸びる一対の弾性バネ片６６、６６を有する。一対の弾性バネ片６６、６６は、ハウジング部材１１に形成された透孔４７（図５参照）内に配置される。かかる一対の弾性バネ片６６、６６は、電気コネクタ１が相手コネクタ２に差し込まれた場合に、相手コネクタ２のシグナルコンタクト部２２（図１参照）に当接し電気的に接続される。
【００２９】
第３接続部６３は、一対の第１接続部６１、６１と同様に、細長の板状部材で形成され、基部６０の後端部６５から片持ち状に後方に延伸する。かかる第３接続部６３は、基部６０に支持される基端部が屈曲しており、延伸部分が一対の第１接続部６１、６１よりも上方に位置し、上下方向から見た場合に一対の第１接続部６１、６１に挟まれる位置に形成される。
【００３０】
図９に示すように、中心導体３ａは第１接続部６１、６１間に配置され、電気コネクタ１の組み立て工程において、第１接続部６１、６１は、中心導体３ａへ向けて押圧され、第３接続部６３は、延伸部分が下方に押圧される（図９の破線矢印を参照）。これにより、図１０に示すように、一対の第１接続部６１、６１の側面９０、９０は、中心導体３ａの側方に当接して中心導体３ａと電気的に接続され、また、第３接続部６３の下面９２は、中心導体３ａの上側に当接して中心導体３ａと電気的に接続される。そのため、半田付け作業を行うことなく、中心導体３ａとシグナルコンタクト部材１２とを電気的に接続することができる。
【００３１】
上述したように、各第１接続部６１は、上下方向に屈曲しているため、中心導体３ａに対する接触領域が減少し、各第１接続部６１の側面９０のうち基端部６７の一部と先端部６９の一部（図１０に示す位置Ｐ１〜Ｐ４）が中心導体３ａの側面に向けて押圧される。そのため、第１接続部６１が上下方向へ屈曲しないで側面９０の全面が中心導体に押圧される場合と比べて、各第１接続部６１の側面９０と中心導体３ａとが局所的に強く接触する。これにより、第１接続部６１と中心導体３ａとの間の接続抵抗を小さくすることができる。
【００３２】
なお、上述した第１接続部６１は、下方に１回湾曲した形状であるが、その逆の形状（上下逆さまの形状）であってもよい。また、第１接続部６１は、下方に２回以上湾曲した形状であってもよく、また、上方に２回以上湾曲した形状であってもよい。また、下方に湾曲した後上方に湾曲しさらに下方に湾曲した形状であってもよく、その逆であってもよい。このようにすることで、第１接続部６１の側面９０において中心導体３ａの側面に強く接触する箇所を増やすことができる。
【００３３】
また、第３接続部６３の下面９２は、中心導体３ａの上部に当接した状態で接触し、また、第３接続部６３の先端部の角部（図１０に示す位置Ｐ５）において低抵抗で第３接続部６３が中心導体３ａと強く接触する。これにより、第３接続部６３と中心導体３ａとの間の接続が行われる。
【００３４】
このように、シグナルコンタクト部材１２の基部６０は、後端部６５が中心導体３ａの先端と前後方向で対向する状態でハウジング部材１１に支持される。また、一対の第１接続部６１、６１は、基部６０の後端部６５から片持ち状に延伸する板状部材によって形成され、各第１接続部６１の側面９０が中心導体３ａに対して側方から当接して中心導体３ａと電気的に接続される。そのため、シグナルコンタクト部材１２と中心導体３ａとの接続を左右方向で行うことができ、上下方向で対向する一対の第１接続部を設けたシグナルコンタクト部材によって上下方向で中心導体３ａを挟持する場合に比べて電気コネクタ１の低背化を図ることができる。
【００３５】
また、シグナルコンタクト部材１２と中心導体３ａとの接続を左右方向で行うことで、上下方向のいずれか一方のみに第１接続部を設けたシグナルコンタクト部材によって中心導体３ａと接続する場合に比べ、シグナルコンタクト部材１２と中心導体３ａとの電気的な接続状態を良好に維持することができる。そのため、例えば、シグナルコンタクト部材１２と中心導体３ａとの電気的な接続状態を良好するために上下方向にその他の部材の積層数を増加させるような場合（例えば、図８に示す延伸部７１に絶縁蓋部３４を上方から押圧するための中蓋部を設けるなど）に比べて電気コネクタ１の低背化を図ることができる。
【００３６】
さらに、第３接続部６３は、中心導体３ａの上側に当接して中心導体３ａと電気的に接続されることから、３方向から中心導体３ａを囲むことができ、シグナルコンタクト部材１２と中心導体３ａとの電気的な接続状態を良好に維持できる。
【００３７】
＜５．グランドコンタクト部材１３＞
図３に示すように、グランドコンタクト部材１３は、筒状の本体部１４と、本体部１４の後部から延伸する一対の受部１５、１５と、本体部１４の前端上部から屈曲して後方に延伸するシェル部１６と、シェル部１６に連続して後方に延伸するカバー部１７と、カバー部１７の前方部の左右端から延伸する一対の第１屈曲係合片１８、１８（挟持部の一例）と、カバー部１７の後部の左右端から延伸する一対の第２屈曲係合片１９、１９とを備える。かかるグランドコンタクト部材１３は、例えば、金属板材に打抜き折曲げ加工を施すことによって一体的に形成される。なお、シェル部１６とカバー部１７とを含む部分が蓋部の一例である。
【００３８】
本体部１４は、内周の周方向に形成された凸条部８０（図１４参照）を有しており、図１に示すように、相手コネクタ２のグランドコンタクト部２１の外周の周方向に形成された凹条部８１（図１参照）に係合する。これにより、図１に示すように、本体部１４とグランドコンタクト部２１とが嵌合接続される。かかる本体部１４は、図３に示すように、開口７０内に絶縁本体部３１を収容し、ハウジング部材１１の絶縁本体部３１をその一部分を除いて包囲する。
【００３９】
本体部１４の上面側には、切り欠き状に形成された複数の切欠き部５４が設けられ、本体部１４の内周上部側には、内部へ向かって突出する複数の凸部５５が設けられる。そして、図８に示すように、ハウジング部材１１に設けられた複数の係合凸部４４が複数の切欠き部５４に挿入されて係合し、さらに、ハウジング部材１１に設けられた複数の係合凹部領域４５に複数の凸部５５が挿入されて係合する。これにより、ハウジング部材１１がグランドコンタクト部材１３に取り付けられる。
【００４０】
一対の受部１５、１５は、同軸ケーブル３の外側導体３ｃに当接し且つ一対の側方絶縁部３２、３２を中心導体３ａ側に押圧するために設けられる。各受部１５は、図３に示すように、本体部１４の後部から後方に延伸する延伸部７１（当接部の一例）と、延伸部７１の後部に設けられたＬ字状の接続部７２とを備える。一対の受部１５、１５の接続部７２は、先端部が互いに対向するように屈曲して形成される。
【００４１】
図８に示すように、一対の延伸部７１、７１の間には、一対の側方絶縁部３２、３２が配置され、左側の延伸部７１は、左側の側方絶縁部３２と対向配置され、右側の延伸部７１は、右側の側方絶縁部３２と対向配置される。また、一対の接続部７２、７２の間には、同軸ケーブル３の外側導体３ｃが配置され、左側の接続部７２は、外側導体３ｃの左側と対向配置され、右側の接続部７２は、外側導体３ｃの右側と対向配置される。
【００４２】
図８に示すように、グランドコンタクト部材１３は、一対の受部１５、１５間の距離が後方に向けて漸次広がるように形成されている。これは、ハウジング部材１１の一対の側方絶縁部３２、３２が互いの間隔が後方に向けて漸次広がるように形成されているためであり、これにより、シグナルコンタクト部材１２が収納されたハウジング部材１１をグランドコンタクト部材１３に容易に収容することができる。
【００４３】
シェル部１６およびカバー部１７は、電気コネクタ１に同軸ケーブル３を取付ける際に、図８に示す状態から、同軸ケーブル３側に向けて屈曲させられる。かかる屈曲に伴い、ハウジング部材１１の絶縁蓋部３４とシグナルコンタクト部材１２の第３接続部６３とが同軸ケーブル３側に向けて屈曲させられる。
【００４４】
これにより、図１１〜１３に示すように、シグナルコンタクト部材１２の第３接続部６３とハウジング部材１１の支持部３３との間に同軸ケーブル３の中心導体３ａが挟持されて、同軸ケーブル３の中心導体３ａがシグナルコンタクト部材１２の第３接続部６３に電気的に接続される。なお、図１１、１３では、グランドコンタクト部材１３を図示しておらず、また、図１２では、理解を容易にするため、グランドコンタクト部材１３の一部の断面相当図（破線部分）を示している。
【００４５】
また、図１２および図１３に示すように、シェル部１６およびカバー部１７の屈曲に伴って同軸ケーブル３側に向けて屈曲させられたシグナルコンタクト部材１２の第３接続部６３の一部は、第２絶縁部４９に形成された凹条部５０内に位置する。そのため、第２絶縁部４９に凹条部５０が設けられていない場合に比べ、第２絶縁部４９を下方へ位置させることができ、電気コネクタ１の低背化を図ることができる。また、ハウジング部材１１の絶縁蓋部３４が同軸ケーブル３側に向けて屈曲させられる際に、シグナルコンタクト部材１２の第３接続部６３の一部が凹条部５０内に案内される。そのため、組み立て時において第３接続部６３の左右方向への位置ずれを防止することができ、シグナルコンタクト部材１２の第３接続部６３を精度よく中心導体３ａの上側に当接させることができる。
【００４６】
また、シェル部１６およびカバー部１７が上述のように同軸ケーブル３側に向けて屈曲させられることによって、図１２に示すように、本体部１４の開口７０（図３参照）がシェル部１６によって覆われる。
【００４７】
また、同軸ケーブル３の上方がシグナルコンタクト部材１２の第３接続部６３およびハウジング部材１１の絶縁蓋部３４を介してシェル部１６およびカバー部１７によって覆われる。そのため、例えば、従来の電気コネクタに比べて、中心導体３ａに対して上下方向に重なる部位を少なくすることができ、電気コネクタ１の低背化を図ることができる。
【００４８】
一対の第１屈曲係合片１８、１８は、図３および図８に示すように、カバー部１７の前部の左右端からそれぞれ同一方向に延伸しており、電気コネクタ１の組み立て時に、図１４に示すように、先端部が互いに対向するように屈曲される。そのため、かかる第１屈曲係合片１８、１８によって、図１５に示すように、一対の受部１５、１５が中心導体３ａ側へ移動し、中心導体３ａが一対の第１接続部６１、６１の側面９０、９０によって挟持される。それにより、中心導体３ａと一対の第１接続部６１、６１との電気的な接続状態が安定して維持される。
【００４９】
具体的には、一対の受部１５、１５の延伸部７１、７１がハウジング部材１１の一対の側方絶縁部３２、３２に側方から当接して一対の側方絶縁部３２、３２を中心導体３ａ側へ移動させる。かかる一対の側方絶縁部３２、３２の中心導体３ａ側への移動によって、シグナルコンタクト部材１２の一対の第１接続部６１、６１が中心導体３ａ側へ移動して一対の第１接続部６１、６１の間隔が狭くなる。
【００５０】
そのため、ハウジング部材１１の一対の側方絶縁部３２、３２は、シグナルコンタクト部材１２の一対の第１接続部６１、６１に対し、かかる一対の第１接続部６１、６１の中心導体３ａと当接する側の反対側に当接し、中心導体３ａが一対の第１接続部６１、６１の側面９０、９０によって挟持される。なお、図１５においては、ハウジング部材１１の絶縁蓋部３４およびグランドコンタクト部材１３の第１屈曲係合片１８の位置関係を容易に理解できるように、絶縁蓋部３４および第１屈曲係合片１８を破線で示している。
【００５１】
また、一対の第１屈曲係合片１８、１８によって、一対の受部１５、１５が挟持されて中心導体３ａ側へ移動した場合、図１５に示すように、左右の接続部７２、７２は、同軸ケーブル３の外側導体３ｃと当接して挟持する。これにより、同軸ケーブル３の外側導体３ｃがグランドコンタクト部材１３に電気的に接続される。
【００５２】
一対の第２屈曲係合片１９、１９は、図３および図８に示すように、カバー部１７の後方部の左右端からそれぞれ同一方向に延伸し、先端部が互いに対向するように屈曲されることによって、図１４に示すように、同軸ケーブル３の外周被覆材３ｄを把持する。これにより、外周被覆材３ｄの露出部分で同軸ケーブル３がグランドコンタクト部材１３に固定される。
【００５３】
なお、シグナルコンタクト部材１２は、図６等に示す構成に限定されず、中心導体３ａの側方に当接する一対の第１接続部６１、６１を有する構成であればよく、また、一対の第１接続部６１、６１の構成も図６等に示す構成に限定されない。例えば、シグナルコンタクト部材１２は、図１６、１８、１９に示す構成であってもよい。
【００５４】
図６に示すシグナルコンタクト部材１２は、一対の第１接続部６１、６１が厚み方向（上下方向）に屈曲した構成であるが、図１６に示すシグナルコンタクト部材１２は、一対の第１接続部６１、６１が厚み方向に屈曲していない。図１６に示すシグナルコンタクト部材１２の場合、中心導体３ａと接触する箇所は、第１接続部６１、６１の側面９０、９０と、第３接続部６３の下面９２であるが、中心導体３ａと強く接触する箇所は、一対の第１接続部６１、６１の先端部と第３接続部６３の先端部である。
【００５５】
そのため、図１６に示すシグナルコンタクト部材１２は、図６に示すシグナルコンタクト部材１２に比べ、中心導体３ａと強く接触する箇所は少ないが、図１７に示すように、上下方向の高さを低くすることができる。そのため、電気コネクタ１のさらなる低背化を図ることができる。なお、図１６に示すシグナルコンタクト部材１２を用いる場合、支持部３３の上面は屈曲せずに平坦とすることが望ましい。
【００５６】
また、図１８に示すシグナルコンタクト部材１２は、図１６に示すシグナルコンタクト部材１２から第３接続部６３を除去した構成である。そのため、図１８に示すシグナルコンタクト部材１２は、絶縁蓋部３４が中心導体３ａの上側に当接する構成になるため、図６に示すシグナルコンタクト部材１２に比べ、電気コネクタ１のさらなる低背化を図ることができる。
【００５７】
また、図１９（ａ）に示すシグナルコンタクト部材１２は、図６に示すシグナルコンタクト部材１２から第３接続部６３を除去した構成である。そのため、図１９に示すシグナルコンタクト部材１２は、絶縁蓋部３４が中心導体３ａの上側に当接する構成になるため、図６に示すシグナルコンタクト部材１２に比べ、電気コネクタ１のさらなる低背化を図ることができる。
【００５８】
また、図１９（ｂ）に示すシグナルコンタクト部材１２は、図１８に示すシグナルコンタクト部材１２に比べ、一対の第１接続部６１、６１が延伸方向周りに捻れて形成されており、側面９０、９０と底面９１、９１は、延伸方向（前後方向）と直交する方向に所定角度（例えば、２０〜４０度の範囲）で交差する。これにより、一対の第１接続部６１、６１の側面９０、９０と底面９１、９１とで形成される角部分が共に中心導体３ａの側方側へ突き出す状態になる。そのため、中心導体３ａと接触する箇所は、第１接続部６１、６１の側面９０、９０と底面９１、９１であるが、側面９０、９０と底面９１、９１とで形成される角部分によって中心導体３ａがより強く挟まれるため、中心導体３ａは第１接続部６１の角部に前後方向に連続して強く接触される。そのため、第１接続部６１と中心導体３ａとの間の接続抵抗を小さくすることができる。
【００５９】
また、図１９（ｃ）に示すシグナルコンタクト部材１２は、図６に示すシグナルコンタクト部材１２に比べ、湾曲方向（または凸凹方向）が異なり、左右方向にＶ字状に凹んだ凹部が複数箇所形成される。そのため、第１接続部６１の側面９０のうち局所的に中心導体３ａに強く接触する部分が発生するため、第１接続部６１と中心導体３ａとの間の接続抵抗を小さくすることできる。なお、Ｖ字状の凹部に代えてＵ字状に凹んだ湾曲形状の凹部を第１接続部６１に形成してもよく、Ｖ字状またはＵ字状に突出した凸部を第１接続部６１に形成してもよい。また、第１接続部６１は、側面９０が上下方向にＶ字状の凸部または凹部が設けられる構成であってよい。
【００６０】
上述した実施形態の電気コネクタ１では、グランドコンタクト部材１３の本体部１４の内周側で相手コネクタ２のグランドコンタクト部２１の外周側と嵌合したが、かかる構成に限定されない。例えば、電気コネクタ１は、本体部１４の外周側で相手コネクタ２のグランドコンタクト部２１の内周側と嵌合する構成であってもよい。
【００６１】
以上のように、実施形態に係る電気コネクタ１は、絶縁性のハウジング部材１１（ハウジングの一例）と、導電性のシグナルコンタクト部材１２（シグナルコンタクトの一例）と、導電性のグランドコンタクト部材１３（グランドコンタクトの一例）とを備える。シグナルコンタクト部材１２は、ハウジング部材１１に収納され、同軸ケーブル３の中心導体３ａと電気的に接続された状態で相手コネクタ２のシグナルコンタクト部２２（相手シグナルコンタクト部の一例）に接続される。グランドコンタクト部材１３は、ハウジング部材１１を覆い、同軸ケーブル３の外側導体３ｃと電気的に接続された状態で相手コネクタ２のグランドコンタクト部２１（相手グランドコンタクト部の一例）に接続される。シグナルコンタクト部材１２は、基部６０と、一対の第１接続部６１、６１と、第２接続部６２とを備える。基部６０は、後端部６５（一端部の一例）が中心導体３ａの先端と前後方向（中心導体３ａの延伸方向）で対向する状態でハウジング部材１１に支持される。一対の第１接続部６１、６１は、基部６０の後端部から片持ち状に延伸する板状部材で形成され、当該板状部材の延伸方向と直交または交差する側面９０、９０が中心導体３ａに側方から当接して中心導体３ａと電気的に接続される。第２接続部６２は、基部６０に基端が支持され、相手コネクタ２のグランドコンタクト部２１と電気的に接続される。ハウジング部材１１は、一対の第１接続部６１、６１の中心導体３ａと当接する側の反対側に当接する一対の側方絶縁部３２、３２を備える。これにより、一対の第１接続部６１、６１の側面９０、９０間に中心導体３ａが当接されるため、中心導体３ａとの接続を左右方向で行うことができ、シグナルコンタクト部材１２により上下方向で挟持する場合に比べて電気コネクタ１の低背化を図ることができる。
【００６２】
また、グランドコンタクト部材１３は、開口７０を有する筒状の本体部１４と、シェル部１６およびカバー部１７（蓋部の一例）と、一対の延伸部７１、７１（一対の当接部の一例）と、第１屈曲係合片１８（挟持部の一例）とを備える。本体部１４は、グランドコンタクト部２１に嵌合して接続される。シェル部１６およびカバー部１７を含む蓋部は、本体部１４から屈曲して延伸し、本体部１４の開口７０および同軸ケーブル３の一部を覆う。一対の延伸部７１、７１は、本体部１４から延伸して一対の側方絶縁部３２、３２に側方から当接する。第１屈曲係合片１８は、カバー部１７の左右方向（幅方向側の一例）から延伸し一対の延伸部７１、７１を外方から挟持する。そのため、中心導体３ａが一対の第１接続部６１、６１の側面９０、９０によって継続して安定的に挟持されるため、中心導体３ａと一対の第１接続部６１、６１との電気的な接続状態を安定して維持することができる。
【００６３】
また、シグナルコンタクト部材１２は、基部６０の後端部６５から片持ち状に延伸し、中心導体３ａの上側（中心導体３ａの側方側とは異なる位置の一例）に当接して中心導体３ａと電気的に接続される第３接続部６３を備える。ハウジング部材１１は、シェル部１６およびカバー部１７を含む蓋部と第３接続部６３との間に配置され、シェル部１６およびカバー部１７を含む蓋部によって第３接続部６３側に押圧される絶縁蓋部３４（絶縁部の一例）を備える。これにより、一対の第１接続部６１と第３接続部６３とにより、３方向から中心導体３ａを囲むことができ、シグナルコンタクト部材１２と中心導体３ａとの当接を精度よく行うことができる。
【００６４】
また、一対の第１接続部６１、６１は、板厚方向（上下方向）に湾曲して形成されている。これにより、各第１接続部６１は、中心導体３ａに対する接触領域が減少し、基端部６７の側面の一部と先端部６９の側面の一部が局所的に中心導体３ａの側面に向けて押圧された状態で強く接触する。そのため、第１接続部６１と中心導体３ａとの間の接続抵抗を小さくすることができる。
【００６５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６６】
１  電気コネクタ
２  相手コネクタ
３  同軸ケーブル
３ａ  中心導体
１１  ハウジング部材（ハウジングの一例）
１２  シグナルコンタクト部材（シグナルコンタクトの一例）
１３  グランドコンタクト部材（グランドコンタクトの一例）
１４  本体部
１５  受部
１６  シェル部（蓋部の一例）
１７  カバー部（蓋部の一例）
１８  第１屈曲係合片（挟持部の一例）
１９  第２屈曲係合片
２１  グランドコンタクト部（相手グランドコンタクト部の一例）
２２  シグナルコンタクト部（相手シグナルコンタクト部の一例）
３１  絶縁本体部
３２  側方絶縁部
３３  支持部
３４  絶縁蓋部
４８  第１絶縁部
４９  第２絶縁部（絶縁部の一例）
６０  基部
６１  第１接続部
６２  第２接続部
６３  第３接続部
６５  シグナルコンタクト部材の後端部（一端部の一例）
７１  延伸部（当接部の一例）
８０  側面
【図１】
2017220358.tif 000003
【図２】
2017220358.tif 000004
【図３】
2017220358.tif 000005
【図４】
2017220358.tif 000006
【図５】
2017220358.tif 000007
【図６】
2017220358.tif 000008
【図７】
2017220358.tif 000009
【図８】
2017220358.tif 000010
【図９】
2017220358.tif 000011
【図１０】
2017220358.tif 000012
【図１１】
2017220358.tif 000013
【図１２】
2017220358.tif 000014
【図１３】
2017220358.tif 000015
【図１４】
2017220358.tif 000016
【図１５】
2017220358.tif 000017
【図１６】
2017220358.tif 000018
【図１７】
2017220358.tif 000019
【図１８】
2017220358.tif 000020
【図１９】
2017220358.tif 000021